(57)【要約】      （修正有）【課題】縁テープを繊維製テープのみから形成し、そのテープに直接面ファスナー部を取り付けることにより、きわめて柔らかく、柔軟性のある縁テープを提供する。【解決手段】フロアマット１の縁部に沿って取り付ける縁テープ２は、細長い経編みの生地テープと、その幅方向の一端に直接編み込まれた、ズレ止め防止用のフック部材を有する面ファスナー部からなる。フロアマットは、この縁テープ２を、フロアマット表面に露出する上面部分１６と、フロアマットの側部に当たる側面部分１７と、車内床に固定される裏面部分１８の、３部分から構成し、前記裏面部分１８に面ファスナー部を設けている。【選択図】図５
2012034818.tif 000002
【特許請求の範囲】
【請求項１】
フロアマット（１）の縁部に沿って取り付ける縁テープ（２）であって、細長い経編みの生地テープ（１４）と、その幅方向の一端に直接編み込まれた、ズレ止め防止用のフック部材（２０）を有する面ファスナー部（１５）からなることを特徴とする縁テープ。
【請求項２】
請求項１の縁テープ（２）を周囲に固着してなるフロアマット（１）であって、前記縁テープ（２）を、フロアマット表面に露出する上面部分（１６）と、フロアマットの側部に当たる側面部分（１７）と、車内床に固定される裏面部分（１８）の、３部分から構成し、前記裏面部分（１８）に面ファスナー部（１５）を設けたことを特徴とするフロアマット。
【請求項３】
フロアマットの縁部に沿って取り付ける縁テープ（２）の製造方法であって、細長い経編みの生地テープ（１４）を編成する工程と、その幅方向の一端にズレ止め防止用面ファスナー部（１５）となるループを編成する工程と、前記面ファスナー部（１５）のループ先端を加熱切断して多数のフック部材（２０）を形成することを特徴とする縁テープの製造方法。
【請求項４】
ズレ止め防止用面ファスナー部（１５）を形成する糸が１１０〜６６０デニールのモノフィラメント糸である請求項３記載の方法。
【発明の詳細な説明】
【技術分野】
【０００１】
本発明は、フロアマットの縁部に沿って取り付ける縁テープ及びそれを使用したフロアマットに関する。用途は必ずしも限定されないが、たとえば、自動車内の床に敷くフロアマットとして使用することができる。
【背景技術】
【０００２】
自動車内の床に敷かれるゴム製、プラスチック製、繊維製のフロアマットは、運転や乗降りの際の動作によりずれることがあり、そのようなことがあると、ブレーキ操作が不完全となり、重大な事故につながる可能性があることが指摘されている。
【０００３】
これを防止するため、様々な改良が行われているが、フロアマットの縁テープを改良することもその一つである。そのような試みの一つとして実用新案登録第３１５０８０１号の考案がある。この考案によると、マットの縁部に巻回して縫着もしくは接着する縁テープは、繊維製テープとテープ状の面ファスナー部とからなる。面ファスナー部は、マットの裏面に対応させる繊維製テープの幅方向一端側部分に合成樹脂材を押出し成形もしくは射出成形して一体的に面接合させてなり、シート状の基部と、基部から突出する多数のＪ字形等の突起とを有している。
【発明の概要】
【発明が解決しようとする課題】
【０００４】
上記従来技術では、縁テープは繊維製テープとテープ状の面ファスナー部の２部品からなるので、両者の重合部分がその分だけ分厚くなり、柔軟性に問題がある。さらに、面ファスナー部は、合成樹脂材を押出し成形もしくは射出成形させて形成するため、さらに柔軟性を失わせることになる。
【０００５】
本発明では、縁テープを繊維製テープのみから形成し、そのテープに直接面ファスナー部を取り付けることにより、きわめて柔らかく、柔軟性のある縁テープを提供することを目的とする。
【課題を解決するための手段】
【０００６】
請求項１の発明は、フロアマットの縁部に沿って取り付ける縁テープであって、細長い経編みの生地テープと、その幅方向の一端に直接編み込まれた、ズレ止め防止用のフック部材を有する面ファスナー部からなることを特徴とする。
【０００７】
請求項２の発明は、請求項１の縁テープを周囲に固着してなるフロアマットであって、前記縁テープを、フロアマット表面に露出する上面部分と、フロアマットの側部に当たる側面部分と、車内床に固定される裏面部分の、３部分から構成し、前記裏面部分に面ファスナー部を設けたことを特徴とする。
【０００８】
請求項３の発明は、フロアマットの縁部に沿って取り付ける縁テープの製造方法であって、細長い経編みの生地テープを編成する工程と、その幅方向の一端にズレ止め防止用面ファスナー部となるループを編成する工程と、前記面ファスナー部のループ先端を加熱切断して多数のフック部材を形成することを特徴とする。
【発明の効果】
【０００９】
請求項１の発明によれば、縁マットは基本的に１枚の生地テープからなるので柔軟である。また、面ファスナー部は、合成樹脂材やバッキング材を使用することなく直接生地テープに編み込まれているので軽量であるとともに柔軟である。
【００１０】
請求項２の発明によれば、請求項１の柔軟な縁テープを使用するため、フロアマットの周囲に容易に巻き付けることができる。
【００１１】
請求項３の発明によれば、多数のフックを有する面ファスナー部が容易に形成される。
【図面の簡単な説明】
【００１２】
【図１】本発明の１実施例に係るフロアマットの表面側斜視図である。
【図２】本発明の１実施例に係るフロアマットの裏面側斜視図である。
【図３】本発明の１実施例に係る縁テープの斜視図である。
【図４】図３の一部拡大図である。
【図５】図１の５−５線一部断面図である。
【図６】縁テープで使用する５種類の糸条それぞれの組織図である。
【図７】図６の５種類の糸条を組み合わせた縁テープの組織図である。
【発明を実施するための形態】
【００１３】
以下、添付の図面に基づき本発明の実施例を説明する。
【実施例１】
【００１４】
図１、図２は、縁テープ２を、自動車内の床Ｆに敷くマット１の周縁全域に連結した状態を表している。マット１は、図１に示す表側繊維層１１と、図２に示す裏側樹脂層１２を有する。裏側樹脂層１２には多数の円錐状小突起１３が設けられている。
【００１５】
縁テープ２は、図３、図４に示すような外観を有する。縁テープ２をマット１に適用するに当たっては、縁テープ２は、マット１の外周の長さに切断され、図５に示すように、マット１の縁部及び縁部近傍のマット１の表面及び裏面部分を断面コの字状に覆うように巻回され、次いで縁テープ２の両端側が縫着される。なお、縁テープ２に適宜スリット等を入れてマットのコーナーに対応させることもできる。
【００１６】
この縁テープ２は図３〜図５に示すように、細長い生地テープ１４を基部とし、その幅方向の一端に直線状にズレ止め防止用の面ファスナー部１５を取り付けてなる。生地テープ１４は、フロアマットの表面に露出する上面部分１６と、フロアマットの側部に当たる側面部分１７と、床に固定される裏面部分１８の、３部分からなる。ズレ止め防止用の面ファスナー部１５が取り付けられるのは裏面部分１８である。なお、生地テープの左右両端には耳部１９、１９が形成されており、裏面耳部には面ファスナー部は形成されていない。
【００１７】
このようなフロアマット１をその表面を上向きにして自動車の車内に敷くと、図５に示すように、フロアマット１の下部の円錐状小突起１３が車内の床面Ｆのカーペット、不織布等と係合すると共に、面ファスナー部１５の多数のフック２０がカーペット、不織布等と係合してマット１のずれを確実に防止する。なお、本実施例ではマット１に縁テープ２を縫製することで固定しているが、縫製に限らず、接着剤によって接着、溶着してもよい。
【００１８】
生地テープ１４は、天然繊維又はポリエステル系、ナイロン系、ポリプロピレン系、等の合成繊維を経編みしてなる。
【００１９】
面ファスナー部１５は、ポリエステル系、ナイロン系、ポリプロピレン系、ポリスチレン系、等の合成繊維で、１１０〜６６０デニールのモノフィラメント糸を使用する。
【００２０】
この縁テープ２は、たとえばヤコブ・ミュラー・アクチエンゲゼルシャフト・フリック(Jakob Mueller AG Frick  スイス国)その他の製造する電子制御式経編機を使用して次のようにして製造される。
【００２１】
面ファスナー部１５の付いていない、上面部分１６と側面部分１７を構成する地組織は、図６に示すＡ，Ｃ〜Ｅの糸条を使用して次のようにして形成する。編糸Ａによりウェール方向に連続して閉じ目で形成し、各ウェール間に挿入糸Ｄを１本ずつ配置する。さらにこれらの糸条Ａ及びＤと同一ウェールの上下から、隣接する編み目にジグザグ状に接合糸Ｃ，Ｅで交絡させる。
【００２２】
この地組織に対して、面ファスナー部形成糸Ｂの繰返し組織のうち、２つのウェール間に形成されるパイルループの両端に形成される編目の１つを開き目にて形成して、他の編目を閉じ目にて形成する。
【００２３】
形成されたパイルループループは、ランセットにより起立させた後、先端をホットナイフで加熱切断することにより多数のキノコ又はカギ状のフック２０（図４）が形成される。
【先行技術文献】
【特許文献】
【００２４】
【特許文献１】実用新案登録第３１５０８０１号
【符号の説明】
【００２５】
１     フロアマット
２     縁テープ
１１   表側繊維層
１２   裏側樹脂層
１３   小突起
１４   生地テープ
１５   面ファスナー部
１６   上面部分
１７   側面部分
１８   裏面部分
１９   耳部
２０   フック
Ａ     編糸
Ｂ     面ファスナー部形成糸
Ｃ，Ｅ 接合糸
Ｄ     挿入糸
Ｆ     床
【図１】
2012034818.tif 000003
【図２】
2012034818.tif 000004
【図３】
2012034818.tif 000005
【図４】
2012034818.tif 000006
【図５】
2012034818.tif 000007
【図６】
2012034818.tif 000008
【図７】
2012034818.tif 000009